(57)【要約】      （修正有）【課題】透明ディスプレイ装置が鮮明な映像を提供することができるようにするディスプレイ装置、ディスプレイパネルおよびディスプレイ方法を提供する。【解決手段】透明なＯＬＥＤ発光素子を用いてディスプレイを行う第１パネル１１０と、第１パネルの背面に配置し、背面からの光を遮断または透過させる、高分子分散型液晶を用いた第２パネル１２０と、第２パネルを透明な状態または不透明な状態に切り替える制御部１３０とを備える。第２パネルを透明にすることで、第１パネルの背面の物体の像と第１パネルの像とを同時に鑑賞することができる。また、第２パネルを不透明にすることで、第１パネル背面からの外光の介入のないコントラストの良い鮮明な画像を表示する事が可能となる。【選択図】図２
2013156635.tif 000002
【特許請求の範囲】
【請求項１】
透明な材質の自体発光素子を用いてディスプレイを行う第１パネルと、
前記第１パネルの背面に配置される第２パネルと、
前記第２パネルを透明な状態または不透明な状態に切り替える制御部と
を含むディスプレイ装置。
【請求項２】
前記第２パネルは、
複数の領域に区分され、各領域別に前記透明な状態または前記不透明な状態に切り替え可能であることを特徴とする請求項１に記載のディスプレイ装置。
【請求項３】
テキストおよびイメージを含む映像フレームを構成するイメージ処理部を更に含み、
前記制御部は、
前記映像フレームをディスプレイするように前記第１パネルを制御し、前記第２パネルの各領域のうち、前記映像フレームのテキスト部分に対応する領域は、前記不透明な状態に形成し、前記映像フレームのイメージ部分に対応する領域は、前記透明な状態に形成するように前記第２パネルを制御することを特徴とする請求項２に記載のディスプレイ装置。
【請求項４】
コンテンツ再生命令を入力される入力部と、
前記コンテンツ再生命令が入力されると、コンテンツを受信する受信部と、
前記コンテンツを処理して映像フレームを構成するイメージ処理部と
を更に含み、
前記制御部は、
前記コンテンツ再生命令が入力されると、前記コンテンツの映像フレームをディスプレイするように前記第１パネルを制御し、前記第２パネルを前記不透明な状態に切り替え、前記コンテンツの再生が終了すると、前記第２パネルを前記透明な状態に切り替えることを特徴とする請求項１に記載のディスプレイ装置。
【請求項５】
前記自体発光素子はＯＬＥＤであり、
前記第１パネルは前記ＯＬＥＤを用いてディスプレイを行い、
前記第２パネルはＰＤＬＣを含むことを特徴とする請求項１ないし４の何れか一項に記載のディスプレイ装置。
【請求項６】
透明な材質の自体発光素子を含む第１パネルと、
前記第１パネルの背面に配置され、透明な状態および不透明な状態のいずれか一方に切り替え可能な第２パネルと
を含むディスプレイパネル。
【請求項７】
前記第２パネルは、
複数の領域に区分され、各領域別に前記透明な状態または前記不透明な状態に切り替え可能であることを特徴とする請求項６に記載のディスプレイパネル。
【請求項８】
ディスプレイ装置のディスプレイ方法において、
透明な材質の自体発光素子を含む第１パネルに映像フレームをディスプレイするステップと、
前記ディスプレイ装置内で前記第１パネルの背面に配置される第２パネルを透明な状態または不透明な状態に切り替えるステップと
を含むディスプレイ方法。
【請求項９】
前記第２パネルは、
複数の領域に区分され、各領域別に前記透明な状態または前記不透明な状態に切り替え可能であることを特徴とする請求項８に記載のディスプレイ方法。
【請求項１０】
前記映像フレームがテキストおよびイメージを含むと、前記第２パネルの各領域のうち、前記映像フレームのテキスト部分に対応する領域は、前記不透明な状態に形成され、前記映像フレームのイメージ部分に対応する領域は、前記透明な状態に形成されることを特徴とする請求項９に記載のディスプレイ方法。
【請求項１１】
前記第２パネルを透明な状態または不透明な状態に切り替えるステップは、
コンテンツ再生命令が入力され、コンテンツの映像フレームが前記第１パネルによってディスプレイされると、前記第２パネルを前記不透明な状態に切り替えるステップと、
前記コンテンツの再生が終了すると、前記第２パネルを前記透明な状態に切り替えるステップと
を含むことを特徴とすることを特徴とする請求項８に記載のディスプレイ方法。
【請求項１２】
前記自体発光素子はＯＬＥＤであり、
前記第２パネルはＰＤＬＣを含むことを特徴とする請求項８ないし１１の何れか一項に記載のディスプレイ方法。
【発明の詳細な説明】
【技術分野】
【０００１】
本発明は、ディスプレイ装置、ディスプレイパネルおよびディスプレイ方法に関し、より詳細には、鮮明な映像を表示することができる透明なディスプレイ装置、ディスプレイパネルおよびディスプレイ方法に関する。
【背景技術】
【０００２】
透明ディスプレイとは、ディスプレイそのものが一定程度の透過度をもち、画面の背景が透けて見える特徴をもつディスプレイのことをいう。透明ディスプレイは、建物や車両の窓、店のショーウィンドウにも適用でき、広告や情報提供、ディスプレイ本来の機能を提供できるだけでなく、デザイン性に優れるため、消費者の感性品質を満たすことができ、未来のディスプレイの一つとして注目を浴びている。
【０００３】
ただ、透明ディスプレイ装置が映像情報を伝達する場合、鮮明度とコントラスト（Ｃｏｎｔｒａｓｔ）の問題が発生する。すなわち、透明ディスプレイ装置が複雑な情報を伝達したり、映画やテレビ視聴のように高い鮮明度と明暗対比を要する映像を表示する場合、ディスプレイ装置の透明性により、ディスプレイ装置の背面の光が流入するため、映像の鮮明度が落ち、明暗対比がよくないという問題が生じる。よって、透明ディスプレイ装置は、映画やテレビ視聴等の目的で使用するのには、限界があった。
【先行技術文献】
【特許文献】
【０００４】
【特許文献１】韓国特開第２０１２−０１０４４７７号公報
【特許文献２】韓国特開第２０１１−００１７６７３号公報
【発明の概要】
【発明が解決しようとする課題】
【０００５】
そこで、本発明は、上記問題に鑑みてなされたものであり、本発明の目的とするところは、透明ディスプレイ装置が鮮明な映像を提供することができるようにするディスプレイ装置、ディスプレイパネルおよびディスプレイ方法を提供することにある。
【課題を解決するための手段】
【０００６】
前記目的を達成するための本発明の一実施形態に係るディスプレイ装置は、透明な材質の自体発光素子を用いてディスプレイを行う第１パネルと、前記第１パネルの背面に配置される第２パネルと、前記第２パネルを透明な状態または不透明な状態に切り替える制御部とを含む。
【０００７】
前記第２パネルは、複数の領域に区分され、各領域別に前記透明な状態または前記不透明な状態に切り替え可能であってよい。
【０００８】
前記ディスプレイ装置は、テキストおよびイメージを含む映像フレームを構成するイメージ処理部を更に含み、前記制御部は、前記映像フレームをディスプレイするように前記第１パネルを制御し、前記第２パネルの各領域のうち、前記映像フレームのテキスト部分に対応する領域は、前記不透明な状態に形成し、前記映像フレームのイメージ部分に対応する領域は、前記透明な状態に形成するように前記第２パネルを制御してよい。
【０００９】
前記ディスプレイ装置は、コンテンツ再生命令を入力される入力部と、前記コンテンツ再生命令が入力されると、コンテンツを受信する受信部と、前記コンテンツを処理して映像フレームを構成するイメージ処理部とを更に含み、前記制御部は、前記コンテンツ視聴命令が入力されると、前記コンテンツの映像フレームをディスプレイするように前記第１パネルを制御し、前記第２パネルを前記不透明な状態に切り替え、前記コンテンツの再生が終了すると、前記第２パネルを前記透明な状態に切り替えてよい。
【００１０】
前記自体発光素子はＯＬＥＤであり、前記第１パネルは前記ＯＬＥＤを用いてディスプレイを行ってよい。
【００１１】
前記目的を達成するための本発明の一実施形態に係るディスプレイパネルは、透明な材質の自体発光素子を含む第１パネルと、前記第１パネルの背面に配置され、透明な状態および不透明な状態のいずれか一方に切り替え可能な第２パネルとを含む。
【００１２】
前記第２パネルは、複数の領域に区分され、各領域別に前記透明な状態または前記不透明な状態に切り替え可能であってよい。
【００１３】
前記目的を達成するための本発明の一実施形態に係るディスプレイ方法は、透明な材質の自体発光素子を含む第１パネルに映像フレームをディスプレイするステップと、前記ディスプレイ装置内で前記第１パネルの背面に配置される第２パネルを透明な状態または不透明な状態に切り替えるステップとを含む。
【００１４】
前記第２パネルは、複数の領域に区分され、各領域別に前記透明な状態または前記不透明な状態に切り替え可能であってよい。
【００１５】
前記映像フレームがテキストおよびイメージを含むと、前記第２パネルの各領域のうち、前記映像フレームのテキスト部分に対応する領域は、前記不透明な状態に形成され、前記映像フレームのイメージ部分に対応する領域は、前記透明な状態に形成されてよい。
【００１６】
前記第２パネルを透明な状態または不透明な状態に切り替えるステップは、コンテンツ視聴命令が入力され、コンテンツの映像フレームが前記第１パネルによってディスプレイされると、前記第２パネルを前記不透明な状態に切り替えるステップと、前記コンテンツの再生が終了すると、前記第２パネルを前記透明な状態に切り替えるステップとを含んでよい。
【００１７】
前記自体発光素子はＯＬＥＤであり、前記第１パネルは前記ＯＬＥＤを用いてディスプレイを行ってよい。
【発明の効果】
【００１８】
以上説明したように、本発明によれば、透明ディスプレイ装置でも鮮明な映像を表示することができるようになる。
【図面の簡単な説明】
【００１９】
【図１】本発明の一実施形態に係るディスプレイ装置の機能を示す概念図である。
【図２】本発明の一実施形態に係るディスプレイ装置の構成を示すブロック図である。
【図３】図１の第１パネルの回路構成を示すブロック図である。
【図４】図１の第１パネルの画素領域を示す回路図である。
【図５】第２パネルの状態による第１パネルの映像の鮮明度を示す参考図である。
【図６】本発明の別の実施形態によって第２パネルを領域別に透明度を調節する例を示す参考図である。
【図７】本発明の更に別の実施形態に係るディスプレイパネルの構成を示すブロック図である。
【図８】本発明の一実施形態に係るディスプレイ方法を示すフローチャートである。
【図９】本発明の別の実施形態によって第２パネルを領域別に透明度を調節してディスプレイする方法を示すフローチャートである。
【図１０】本発明の更に別の実施形態によって、映像フレームにテキストとイメージとが含まれた場合のディスプレイ方法を示すフローチャートである。
【図１１】本発明の更に別の実施形態によって、コンテンツ視聴命令がある場合、第２パネルを不透明な状態に切り替えるディスプレイ方法を示すフローチャートである。
【発明を実施するための形態】
【００２０】
以下に添付図面を参照しながら、本発明の好適な実施形態について詳細に説明する。
【００２１】
図１は、本発明の一実施形態に係るディスプレイ装置１００の機能を示す概念図である。
【００２２】
本発明の一実施形態に係るディスプレイ装置１００は、図１に示すように、窓に設けられてターンオフされている間は、光をそのまま透過させてユーザがディスプレイ装置１００の背面にある物体を見ることができる。ディスプレイ装置１００をターンオンする場合、ディスプレイ装置１００は画面に映像を表示し、ユーザは表示される映像を視聴することができる。このとき、画面に表示される映像は、一定の透明度をもつことにより、依然として背面の物体の像を透過させることができる。このようなディスプレイ装置１００は、主に簡単な情報を伝達したり、広告を流したり、美的目的で使用されてよい。しかし、透明な映像は、外光の介入により、コントラストが悪くなりかねないため、テレビや映画視聴のようなディスプレイ装置１００の本来の目的を果たすには向いていない。よって、ディスプレイ装置１００は、画面に不透明な映像、すなわち、後光の介入のない鮮明な映像を表示できるようにしなければならない。すなわち、図１に示すように、ユーザが窓の外の風景を鑑賞している途中に、ディスプレイ装置１００をターンオンさせる場合も鮮明な映像を視聴できるようにしなければならない。以下で、このような効果をもつ本発明に係るディスプレイ装置１００について説明する。
【００２３】
図２は、本発明の一実施形態に係るディスプレイ装置１００の全体的な構成を示すブロック図である。
【００２４】
図２に示すように、本発明の一実施形態に係るディスプレイ装置１００は、ディスプレイを行う第１パネル１１０と、第２パネル１２０およびこれらのパネルを制御する制御部１３０を含む。
【００２５】
第１パネル１１０は、映像を表示する構成として、透明な材質の自体発光素子からなる。すなわち、透明な素材からなるため、ディスプレイ装置１００の背面の光を透過させて前面に位置するユーザが背面にある物体の像を見ることができる。なお、自体発光素子からなるため、電圧を印加する場合、自ら光を発するようになり、電圧を調節してカラーを実現する。そのために、第１パネル１１０は、図３に示すように、タイミングコントローラ１１１と、ゲートドライバ１１２と、データドライバ１１３と、電圧駆動部１１４および表示パネル１１５を含む。
【００２６】
以下では、図３および図４を参照して、第１パネルの構成について説明する。
【００２７】
図３は、図１の第１パネルの回路構成を示すブロック図であり、図４は、図１の第１パネルの画素領域を示す回路図である。
【００２８】
タイミングコントローラ１１１は、外部からディスプレイ装置１００の解像度に適したクロック信号（ＤＣＬＫ）と水平同期信号（Ｈｓｙｎｃ）、垂直同期信号（Ｖｓｙｎｃ）等を受信してゲート制御信号（走査制御信号）、データ制御信号（データ信号）を生成し、受信されたＲ、Ｇ、Ｂデータを再整列してデータドライバ１１３に供給することができる。
【００２９】
タイミングコントローラ１１１は、上記のゲート制御信号と関連してゲートシフトクロック（Ｇａｔｅ  Ｓｈｉｆｔ  Ｃｌｏｃｋ：ＧＳＣ）、ゲート出力イネーブル（Ｇａｔｅ  Ｏｕｔｐｕｔ  Ｅｎａｂｌｅ：ＧＯＥ）、ゲート開始パルス（Ｇａｔｅ  Ｓｔａｒｔ  Ｐｕｌｓｅ：ＧＳＰ）等を発生させることができるが、ここで、ＧＳＣは、Ｒ、Ｇ、Ｂ  ＯＬＥＤのような発光素子に接続されたＴＦＴがオン／オフされる時間を決定する信号であり、ＧＯＥはゲートドライバ１１２の出力を制御する信号であり、ＧＳＰは一つの垂直同期信号のうち、画面の１番目の駆動ラインを報知する信号である。
【００３０】
なお、タイミングコントローラ１１１は、データ制御信号に関連してソースサンプリングクロック（Ｓｏｕｒｃｅ  Ｓａｍｐｌｉｎｇ  Ｃｌｏｃｋ：ＳＳＣ）、ソース出力イネーブル（Ｓｏｕｒｃｅ  Ｏｕｔｐｕｔ  Ｅｎａｂｌｅ：ＳＯＥ）、ソース開始パルス（Ｓｏｕｒｃｅ  Ｓｔａｒｔ  Ｐｕｌｓｅ：ＳＳＰ）等を生成することができる。ここで、ＳＳＣは、データドライバ１１３でデータをラッチさせるためのサンプリングクロックとして使用され、データドライブＩＣの駆動周波数を決定する。ＳＯＥは、ＳＳＣによってラッチされたデータを表示パネル１１５に伝達するようになる。ＳＳＰは、１水平同期期間中にデータのラッチまたはサンプリング開始を報知する信号である。
【００３１】
ゲートドライバ１１２は、走査信号を生成する構成として、走査線（Ｓ１、Ｓ２、Ｓ３、…、Ｓｎ）を通じて表示パネル１１５と接続される。ゲートドライバ１１２は、タイミングコントローラ１１１によって生成されたゲート制御信号によって電圧駆動部１１４から提供されたゲートオン／オフ電圧（Ｖｇｈ／Ｖｇｌ）を表示パネルに印加する。ゲートオン電圧（Ｖｇｈ）は、表示パネル１１５に単位フレーム映像の実現のために、ゲートライン１（ＧＬ１）でゲートラインＮ（ＧＬｎ）まで順次提供される。
【００３２】
データドライバ１１３は、データ信号を生成する構成として、データ線（Ｄ１、Ｄ２、Ｄ３、…、Ｄｎ）を通じて表示パネル１１５と接続される。データドライバ１１３は、タイミングコントローラ１１１によって生成されたデータ制御信号によってＲＧＢデータからなる映像データを表示パネル１１５に入力する。データドライバ１１３は、タイミングコントローラ１１１で直列（Ｓｅｒｉａｌ）で提供されるＲＧＢの映像データを並列（Ｐａｒａｌｌｅｌ）に変換し、デジタルデータをアナログ電圧に変換して一つの水平ライン分に該当する映像データを表示パネル１１５に提供する。この過程は、各水平ライン別に順次に行われる。
【００３３】
電圧駆動部１１４は、表示パネル１１５と、ゲートドライバ１１２およびデータドライバ１１３等に各々の駆動電圧を生成して伝達する。すなわち、外部からの常用電源、すなわち、１１０Ｖまたは２２０Ｖの交流電圧を受けて表示パネル１１５に必要な電源電圧（ＶＤＤ）を生成して提供したり、接地電圧（ＶＳＳ）を提供することができる。なお、ゲートオン電圧（Ｖｇｈ）を生成してゲートドライバ１１２に提供することができる。そのために、電圧駆動部１１４は、個別に動作する複数の電圧駆動モジュール（図示せず）を含んでよい。ここで、複数の電圧駆動モジュール（図示せず）は、制御部１３０の制御によって、互いに異なる電圧を提供するように動作することができ、制御部１３０は、予め設定された情報によって複数の電圧駆動モジュールが互いに異なる駆動電圧を提供するように、電圧駆動部１１４を制御することができる。例えば、複数の電圧駆動モジュールの各々は、制御部１３０の制御にしたがって、予め設定された情報によって互いに異なる第１電圧およびデフォルトで設定された第２電圧を提供することができる。
【００３４】
一実施形態によると、電圧駆動部１１４は、複数の領域に区分された表示パネル１１５の各領域に対応する複数の電圧駆動モジュールを含んでよい。この場合、制御部１３０は、複数の領域の各々の画面情報（または、入力映像情報）によって互いに異なる第１電圧、すなわち、ＥＬＶＤＤ電圧を提供するように、複数の電圧駆動モジュールを制御することができる。すなわち。データドライバ１１３に入力される映像信号を用いてＥＬＶＤＤ電圧の大きさを制御することができる。ここで、画面情報は、入力映像の輝度および階調情報の少なくとも何れか一方であってよい。
【００３５】
一方、本実施形態では、制御部１３０がタイミングコントローラ１１１の別個の構成であるとして説明したが、それは一実施形態に過ぎず、場合によって、制御部１３０はタイミングコントローラ１１１の一機能で実現されてよい。
【００３６】
表示パネル１１５は、互いに交差して画素領域を定義するための複数のゲートライン（ＧＬ１〜ＧＬｎ）とデータライン（ＤＬ１〜ＤＬｎ）が形成され、その交差する画素領域１１６にはＯＬＥＤのようなＲ、Ｇ、Ｂの発光素子が形成されてよい。そして、画素領域１１６の一領域、より正確には、角にはスイッチング素子、すなわちＴＦＴが形成される。このようなＴＦＴのターンオン動作時にデータドライバ１１３から階調電圧が各々のＲ、Ｇ、Ｂの発光素子として提供される。このとき、Ｒ、Ｇ、Ｂの発光素子は階調電圧に基づいて提供された電流量に応じて光を提供するようになる。すなわち、Ｒ、Ｇ、Ｂの発光素子は、多くの電流量が提供されると、それだけ多くの光を提供するようになるのである。
【００３７】
Ｒ、Ｇ、Ｂの画素領域１１６を、図４を参照してより詳細に説明すると、表示パネル１１５は、スキャン信号（Ｓ１）、すなわち、ゲートオン電圧（Ｖｇｈ）によって動作するスイッチング素子Ｍ１、データライン（ＤＬ１〜ＤＬｎ）に提供される変更された高階調値を含む画素値に基づいて電流を出力するスイッチング素子Ｍ２、そして、タイミングコントローラ１１１から提供される制御信号によってスイッチング素子Ｍ２でＲ、Ｇ、Ｂの発光素子に提供される電流量を調節するスイッチング素子Ｍ３を含んでよい。そして、このようなスイッチング素子Ｍ３は、有機発光素子（Ｏｒｇａｎｉｃ  Ｌｉｇｈｔ  Ｅｍｉｔｔｉｎｇ  Ｄｉｏｄｅ、ＯＬＥＤ）と接続されて有機発光素子（ＯＬＥＤ）に電流を供給する。ここで、ＯＬＥＤ（有機発光ダイオード）とは、蛍光または燐光有機物薄膜に電流を流すと、磁場発光の原理を用いて自ら光を発するディスプレイのことをいう。有機発光素子（ＯＬＥＤ）のアノード電極は画素回路に雪像され、カソード電極は第２電源（ＥＬＶＳＳ）に接続される。このような有機発光素子（ＯＬＥＤ）は画素回路から供給される電流に対応して所定の輝度の光を生成する。ここで、スイッチング素子Ｍ１のゲート電極は走査線（Ｓ）に接続され、第１電極はデータ線（Ｄ１）に接続される。
【００３８】
このように、表示パネル１１５は、ＡＭ−ＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）パネルで実現されてよい。ただ、上述の実施形態は、本発明の一実施形態に過ぎず、本発明が一つのラインが同時に発光して駆動する方式であるＰＭ−ＯＬＥＤ（Ｐａｓｓｉｖｅ  Ｍａｔｒｉｘ  Ｏｒｇａｎｉｃ  Ｌｉｇｈｔ  Ｅｍｉｔｔｉｎｇ  Ｄｉｏｄｅ）を排除しないことは勿論である。
【００３９】
第２パネル１２０は、上述の第１パネル１１０の背面に配置する構成として、電子または機械的な方法でディスプレイ装置１００の背面から光を遮断または透過させる役割を担う。すなわち、後述の制御部１３０によって一定である場合、第１パネル１１０と同様に、透明な状態となってディスプレイ装置１００の背面に流入する自然光を通過させることができ、逆に、不透明な状態で制御されてディスプレイ装置１００の背面の光を遮断することもできる。ディスプレイ装置１００の背面の光が流入する場合、ディスプレイ装置１００は透明な状態となって、第１パネル１１０は透明な映像を表示するようになる。一方、ディスプレイ装置１００の背面の光が遮断されると、ディスプレイ装置１００は不透明な状態となり、第１パネル１１０の映像はディスプレイ装置１００の背面の像が結像しない不透明な映像となる（図５を参照）。
【００４０】
本発明の一実施形態として、第２パネル１２０は高分子分散型液晶（Ｐｏｌｙｍｅｒ  Ｄｉｓｐｅｒｓｅｄ  Ｌｉｑｕｉｄ  Ｃｒｙｓｔａｌ、以下ＰＤＬＣという）で実現されてよい。ＰＤＬＣは、高分子物質の母体内に微細な液晶の粒が形成され、外部から印加される電圧に反応して光が散乱または吸収する形となることから、情報を表示するディスプレイ方式である。すなわち、ＰＤＬＣパネルには、赤外線や熱によって硬化する高分子物質が液晶と混合して液晶の試験片に注入される。このような液晶試験片に熱を加えたり、赤外線を露光する過程を経ることで、ＰＤＬＣパネルは硬化し、高分子網には小さい液晶の粒が形成される。外部電圧が加わらない状態で、液晶の粒内の液晶は任意の方向に配列しており、光は不規則に散乱する。このとき、散乱する原理は、液晶の実効屈折率と高分子の屈折率とが異なるためである。一方、外部から電圧が印加されると、粒内の液晶は電圧の方向に沿って配向する。よって、このような状態では、液晶分子が一方向に整列して光が透過され、液晶の試験片は透明な状態となる。ＰＤＬＣパネルは、パネルに印加する電圧の強弱によって完全に透明な状態から１〜１００％の透明な状態に調節が可能である。
【００４１】
したがって、ＰＤＬＣからなる第２パネル１２０に電源が印加されなければ、第２パネル１２０のポリマー分子の屈折率と液晶分子の屈折率とが異なるようになることで、光が差す進行経路が異なって光がポリマー分子と液晶分子との間で散乱するような現象、すなわち、不透明或いは半透明に現れるようになる。それと反対に、第２パネルに電源が印加される場合、第２パネル１２０を形成するポリマー分子の屈折率と液晶分子の屈折率とが等しくなり、第２パネル１２０の平面に対して垂直に入射する光は全く散乱せずに透過するため、電源印加時には、第２パネル１２０が透明に現れる。なお、第２パネル１２０に印加する電圧の強度に変化をもたらして第２パネル１２０の透明度合いを調節することができるようになる。
【００４２】
このような第２パネル１２０の透明または不透明な状態の設定は、制御部１３０の制御によって行われる。すなわち、制御部１３０は、ディスプレイ装置１００の動作全般を制御し、特に、ディスプレイ装置１００の目的によって、第２パネル１２０の透明度を調節して第１パネル１１０に表示される映像の透明度を調節する。より詳細には、上述のように、制御部１３０は第２パネル１２０に電源を印加し、第２パネル１２０を形成するポリマー分子の屈折率と液晶分子の屈折率とを同様にし、第２パネル１２０を透明な状態とする。制御部が第２パネル１２０を透明に調節すると、ディスプレイ装置１００の背面を通じて光を透過させるため、透明な第１パネル１１０に表示される映像は透明な映像となる。このような透明な映像は、多様な目的の電子機器に美的効果とともに有効な情報を表示するのに使われてよい。例えば、冷蔵庫のドアの一部を透明に形成して、中身や保持温度等の状態に関する情報を表すことができる。なお、洗濯機や電子レンジの動作状態を透明なドアに表示するための用途として活用されてよい。しかし、透明な映像は、光の介入によってコントラストまたは鮮明度が落ちるため、複雑な映像情報を伝達するテレビや映画視聴のようなディスプレイ装置には向いていない。よって、ディスプレイ装置１００は、度々画面に不透明な映像、すなわち、後光の介入のない鮮明な映像を表示できるようにしなければならない。
【００４３】
このような目的を達成するために、制御部１３０は、第２パネル１２０を不透明な状態に調節してディスプレイ装置１００の背面の光を遮断することができる。上述のように、制御部１３０は、第２パネル１２０に電源を印加させなかったり、印加する電源の量を減らして第２パネル１２０のポリマー分子の屈折率と液晶分子の屈折率とを異なるようにして、ポリマー分子と液晶分子との間で光を散乱させることにより、第２パネル１２０を不透明或いは半透明に制御する。このとき、第１パネル１１０は完全な鮮明度とコントラストをもつ映像を表示することができる。よって、図１に示すように、ユーザは外光を遮断した状態で、ディスプレイ装置１００を通じて完全に鮮明な映像を視聴することができるようになる。
【００４４】
本発明の多様な実施形態によると、第２パネル１２０は多様な方法で実現されてよい。すなわち、アクティブ方式として、Ｅｌｅｃｔｒｏｃｈｒｏｍｉｃ（ＥＣ）方式、Ｌｉｑｕｉｄ  Ｃｒｙｓｔａｌ（ＬＣ）方式、Ｓｕｓｐｅｎｄｅｄ  Ｐａｒｔｉｃｌｅ  Ｄｅｖｉｃｅ（ＳＰＣ）方式で実現されてよく、パッシブ方式でＰｈｏｔｏｃｈｒｏｍｉｃ方式、Ｔｈｅｒｍｏｃｈｒｏｍｉｃ方式を通して実現されてよい。これらの技術は、通常ｅ−ｐａｐｅｒ実現に幅広く使われるだけでなく、汎用ディスプレイ装置に広く使用が可能である。すなわち、透明性をもつ第１パネル１１０の背面で光の流入を遮断したり、許容できる全種類の技術は本発明の権利範囲に含まれるといえる。
【００４５】
なお、第２パネル１２０は、機械的な方法での実現も可能ある。すなわち、第２パネル１２０は必要に応じて光を透過させたり遮断することができる遮断膜（Ｂｌｉｎｄ）となってよい。制御部１３０は、必要に応じて遮断膜を開放して第１パネル１１０を通じて透明な映像を表示したり、遮断膜を閉鎖して第１パネル１１０の映像を不透明にすることができる。
【００４６】
更に、第２パネル１２０は、複数の領域に区分され、各領域別に透明な状態または不透明な状態に切り替えが可能であってよい。制御部１３０は、必要に応じて第２パネル１２０の一部分は不透明にして第１パネル１１０の映像を鮮明に写るように制御し、第２パネル１２０の別の一部分は透明にして第１パネル１１０の映像を透明に写るように制御することができる。すなわち、第２パネル１２０は、ｎの領域に区別して各領域別に独立に制御することが可能である。第２パネル１２０をＰＤＬＣで実現した例で、制御部１３０は第２パネル１２０の各領域に印加する電力の強度に差をつけ、領域別に光の散乱度合いを調節することにより、透明性に差をつけることができる。よって、ディスプレイ装置１００の目的に合うように、領域別に透明性の差をもつ映像を表示することができるようになる。
【００４７】
このような第２パネル１２０の実施形態として、図６に示すように、第１パネル１１０に表示される映像フレームのテキスト部分に対応する第２パネル１２０の領域は不透明な状態に形成し、第１パネル１１０に表示される映像フレームのイメージ部分に対応する第２パネル１２０の領域は透明な状態に形成するように、第２パネル１２０を制御してよい。このような目的を達成するために、本発明に係るディスプレイ装置１００は、イメージ処理部（図示せず）を更に含んでよい。
【００４８】
イメージ処理部（図示せず）は、テキストおよびイメージを含む映像フレームを構成する役割を担う。すなわち、入力されたテキストデータを第２パネル１２０のテキスト領域に対応する第１パネル１１０の領域に表示するように映像フレームを構成し、入力されたイメージデータを第２パネル１２０のイメージ領域に対応する第１パネル１１０の領域に表示するように映像フレームを組み合わせて構成することができる。制御部１３０は、テキストとイメージとが組み合わせられた映像フレームが入力されると、第２パネル１２０の領域別に透明度を異なるように制御し、テキストは不透明な映像で表示されるようにし、イメージは透明な映像に表示されるように制御してよい。
【００４９】
一方、制御部１３０は、第１パネル１１０の動作状態に応じて、第２パネル１２０の透明または不透明な状態を制御することもできる。すなわち、制御部１３０は、第１パネル１１０の動作状態を分析して第１パネル１１０の動作目的に合うように、第２パネル１２０の透明度を調節することができる。上述のように、第１パネル１１０の表示映像が広告や飾り、または簡単な情報伝達のためのものなら、制御部１３０は、第２パネル１２０を透明な状態に設定することができる。しかし、第１パネル１１０に表示映像がテレビや映画のように鮮明でコントラストの良い映像を必要とする場合、制御部１３０は第２パネル１２０を不透明な状態に設定することができる。
【００５０】
このような制御部１３０の動作の一例として、制御部１３０はコンテンツ視聴が行われる場合、コンテンツの映像フレームをディスプレイするように、第１パネル１１０を制御しつつ、第２パネル１２０を不透明な状態に切り替え、コンテンツの再生が終了すると、第２パネル１２０を透明な状態に切り替えてよい。そのために、ディスプレイ装置１００は、コンテンツ再生命令を入力される入力部（図示せず）と、コンテンツを受信する受信部（図示せず）、コンテンツを映像処理して映像フレームを構成するイメージ処理部（図示せず）を更に含んでよい。
【００５１】
入力部（図示せず）は、コンテンツの再生命令を外部から入力される構成として、例えば、図１に示すリモコンの命令信号を受信するインターフェースを挙げることができる。入力部の実現は、技術的に制限されない。
【００５２】
受信部（図示せず）は、コンテンツを受信する構成として、コンテンツの伝送は多様な経路で行われてよい。例えば、放送ネットワークを用いて放送局から放送番組コンテンツを受信したり、インターネットを用いてウェブサーバからコンテンツファイルを伝送されてよい。なお、ディスプレイ装置１００内に設けられたり、ディスプレイ装置１００に接続された各種記録媒体再生装置からコンテンツを受信することもできる。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００５３】
イメージ処理部（図示せず）は、受信されたコンテンツを処理して映像フレームを構成する。すなわち、イメージ処理部（図示せず）は、受信部（図示せず）から受信されたコンテンツに含まれたイメージデータに対する信号処理を行う。そのために、イメージデータに対するデコードを行うデコーダ（図示せず）、出力部１３０の画面サイズに合わせてアップまたはダウンスケーリングを行うスケーラ（図示せず）を含んでよい。
【００５４】
以下では、図８ないし図１１を参照して、本発明の多様な実施形態に係るディスプレイ方法を説明する。
【００５５】
図８は、本発明の一実施形態に係るディスプレイ方法を示すフローチャートであり、図９は、本発明の別の実施形態によって第２パネルを領域別に透明度を調節してディスプレイする方法を示すフローチャートであり、図１０は、本発明の更に別の実施形態によって、映像フレームにテキストとイメージとが含まれた場合のディスプレイ方法を示すフローチャートであり、図１１は、本発明の更に別の実施形態によって、コンテンツ視聴命令がある場合、第２パネルを不透明な状態に切り替えるディスプレイ方法を示すフローチャートである。
【００５６】
図８ないし図１１を参照すると、本発明の多様な実施形態に係るディスプレイ方法は、透明な材質の自体発光素子を含む第１パネルに映像フレームをディスプレイし（Ｓ８１０、Ｓ９１０、Ｓ１０１０）、ディスプレイ装置内で第１パネルの背面に配置する第２パネルを透明な状態または不透明な状態に切り替えるステップを含んでよい（Ｓ８２０）。
【００５７】
本発明の別の実施形態において、切り替えステップは第２パネルの切り替え入力がある場合（Ｓ９２０−Ｙ、Ｓ１０２０−Ｙ）、第２パネルを複数の領域別に透明な状態または不透明な状態に切り替えるステップ（Ｓ９３０）を含んでよい。
【００５８】
なお、第１パネルに表示される映像フレームがテキストおよびイメージを含む場合（Ｓ１０３０−Ｙ）、第２パネルの各領域のうち、映像フレームのテキスト部分に対応する領域は不透明な状態に形成され、映像フレームのイメージ部分に対応する領域は透明な状態に形成するステップ（Ｓ１０４０）を含んでよい。一方、第１パネルに表示される映像フレームがテキストおよびイメージを含まない場合（Ｓ１０３０−Ｎ）、第２パネル全体を透明な状態または不透明な状態に切り替えるステップ（Ｓ１０５０）を含んでよい。
【００５９】
本発明の別の実施形態によると、コンテンツの再生命令がある場合（Ｓ１１２０−Ｙ）、第１パネルにコンテンツ映像フレームをディスプレイし（Ｓ１１３０）、第２パネルを不透明な状態に切り替え（Ｓ１１４０）、コンテンツ再生が終了すると（Ｓ１１５０−Ｙ）、再び第２パネルを透明な状態に切り替えるステップ（Ｓ１１６０）を含んでよい。
【００６０】
それにより、本発明は、ディスプレイ装置１００を目的に応じて、透明または不透明ディスプレイ装置として使用することができ、透明ディスプレイ装置の鮮明度およびコントラストを向上させることができるようになる。よって、多様な目的のディスプレイが可能な効果を奏する。
【００６１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６２】
１１０  第１パネル
１１１  タイミングコントローラ
１１２  ゲートドライバ
１１３  データドライバ
１１４  電圧駆動部
１２０  第２パネル
１３０  制御部
【図１】
2013156635.tif 000003
【図２】
2013156635.tif 000004
【図３】
2013156635.tif 000005
【図４】
2013156635.tif 000006
【図５】
2013156635.tif 000007
【図６】
2013156635.tif 000008
【図７】
2013156635.tif 000009
【図８】
2013156635.tif 000010
【図９】
2013156635.tif 000011
【図１０】
2013156635.tif 000012
【図１１】
2013156635.tif 000013